(57)【特許請求の範囲】
【請求項１】
受信信号と複数の基準信号との相関値に基づいて参照信号を決定し、該参照信号を用いてアンテナウェイトの算出を行う無線通信装置であって、
前記複数の基準信号を保持する基準信号保持部と、
前記受信信号と前記複数の基準信号との相関演算を行う相関値算出部と、
前記相関値算出部での相関演算結果に基づいて、前記複数の基準信号の中から前記参照信号を決定する参照信号選択部とを備え、
前記複数の基準信号は、所定のシンボル間隔で、既知信号のデータ部の先頭位置をずらして形成され、
前記参照信号選択部は、
前記受信信号と前記複数の基準信号との相関演算により得られる複数の相関値について、最大値を与える相関値ピークが検出されない場合は、前記所定のシンボル間隔の間の位置に前記データ部の先頭が位置する新たな基準信号を作成し、該新たな基準信号と前記受信信号との相関演算を行う処理を、予め定めた回数繰り返すことを特徴とする、無線通信装置。
【請求項２】
前記参照信号選択部は、
前記相関値ピークが、予め設定した閾値よりも高い場合には、前記相関値ピークを与える基準信号を前記参照信号として決定し、
前記相関値ピークが、予め設定した閾値未満の場合には、
前記新たな基準信号と前記受信信号との相関演算を行う処理を、前記予め定めた回数繰り返す、請求項１記載の無線通信装置。
【請求項３】
前記参照信号選択部は、
前記相関値ピークが、予め設定した閾値未満の場合には、前記相関値ピークを与える基準信号を仮の参照信号とし、前記受信信号の位相回転量に基づいて算出されたシンボルのずれ量の分だけ前記仮の参照信号をずらすことで補正し、補正後の参照信号を前記参照信号として決定する、請求項１記載の無線通信装置。
【請求項４】
前記参照信号選択部は、
前記受信信号と前記複数の基準信号との相関演算により得られる複数の相関値について、最も高い値を示すものが前記所定のシンボル間隔を空けて隣り合っている場合には、その間の位置に、前記データ部の先頭が位置する前記新たな基準信号を作成する、請求項１記載の無線通信装置。
【請求項５】
前記複数の基準信号は、
前記受信信号のガードインターバルの元となった前記データ部の末尾部分および前記データ部の複製によって構成される、請求項１記載の無線通信装置。
【請求項６】
受信信号と複数の基準信号との相関値に基づいてアンテナウェイトの算出に用いる参照信号を決定する参照信号の決定方法であって、
（ａ）前記受信信号と、前記複数の基準信号との相関演算を行うステップと、
（ｂ）前記ステップ（ａ）での相関演算結果に基づいて、前記複数の基準信号の中から前記参照信号を決定するステップとを備え、
前記複数の基準信号は、所定のシンボル間隔で、既知信号のデータ部の先頭位置をずらして形成され、
前記ステップ（ｂ）は、
前記受信信号と前記複数の基準信号との相関演算により得られる複数の相関値について、最大値を与える相関値ピークが検出されない場合は、前記所定のシンボル間隔の間の位置に前記データ部の先頭が位置する新たな基準信号を作成し、該新たな基準信号と前記受信信号との相関演算を行う処理を、予め定めた回数繰り返すことを特徴とする、参照信号の決定方法。
【請求項７】
前記ステップ（ｂ）は、
前記相関値ピークが、予め設定した閾値よりも高い場合には、前記相関値ピークを与える基準信号を前記参照信号として決定し、
前記相関値ピークが、予め設定した閾値未満の場合には、
前記新たな基準信号と前記受信信号との相関演算を行う処理を、前記予め定めた回数繰り返す、請求項６記載の参照信号の決定方法。
【請求項８】
前記ステップ（ｂ）は、
前記相関値ピークが、予め設定した閾値未満の場合には、前記相関値ピークを与える基準信号を仮の参照信号とし、前記受信信号の位相回転量に基づいて算出されたシンボルのずれ量の分だけ前記仮の参照信号をずらすことで補正し、補正後の参照信号を前記参照信号として決定する、請求項６記載の参照信号の決定方法。
【発明の詳細な説明】
【技術分野】
【０００１】
本発明は無線通信装置および参照信号の決定方法に関し、特に、アダプティブアレイ方式のアンテナを使用する無線通信装置および参照信号の決定方法に関する。
【背景技術】
【０００２】
ＯＦＤＭ（Orthogonal Frequency Division Multiplexing）信号においては、各ＯＦＤＭシンボルの先頭部分に、サイクリックプレフィックス（以後、単に「ＣＰ」と呼称）の一種であるガードインターバル（ＧＩ）が設けられている。
【０００３】
このガードインターバルは、有効シンボルの末尾部分をコピーしたものであって、受信装置において、伝送路遅延によって本来のタイミングとは遅れてＯＦＤＭシンボルが受信された場合や、マルチパスフェージングによってＯＦＤＭシンボル間の境界部分の時間波形が変形した場合であっても、受信したＯＦＤＭシンボルから適切にデータを取得できるようにするために設けられている。
【０００４】
ここで、従来より、受信信号のフレームタイミングとシンボルタイミングの抽出には、波形の類似性の尺度である相関演算を用いている。この場合、優れた自己相関特性を有するパターン（基準信号）と受信信号との相関演算を行い、その相関値の大きさの二乗が最大になる位置をフレームタイミングとし、フレームタイミングからシンボルタイミングを得ている。このような相関法によるフレームタイミングの算出については特許文献１に開示されている。
【０００５】
ここで、基準信号とは、既知信号のデータ部の始まり位置を所定の間隔（シンボル間隔）でずらして作成した信号であり、この所定の間隔でＧＩを等分した場合のＧＩ上の位置を切り出し位置と呼称する。なお、切り出し位置に一致する基準信号を参照信号と決定するので、「切り出し」と呼称している。
【０００６】
切り出し位置は、例えば６４シンボル分のＧＩを８等分し、８シンボルごとに設定される。図１１には、このように設定された基準信号と、ＧＩを８等分した受信信号のフレームを示しており、データ部の先頭に付与されたＧＩの先頭側から順に、８／８、７／８、６／８、５／８、４／８、３／８、２／８、１／８および０／８が付記されており、データ部の先頭は０／８となっている。
【０００７】
これに対して、基準信号は、データ部の先頭の位置を８シンボル間隔でずらして作成されており、０／８の基準信号は受信信号にずれがない場合に、受信信号と最も相関が高くなる基準信号である。
【０００８】
図１１に示されるように、各基準信号は受信信号のＧＩの元となった受信信号のデータ部の末尾の６４シンボル分のデータの複製を、データ末尾複製部としてデータ部の先頭に付加して作成される。
【０００９】
また、１／８の基準信号は受信信号が、８シンボルずれている場合に受信信号と最も相関が高くなる基準信号であり、２／８の基準信号は受信信号が、１６シンボルずれている場合に受信信号と最も相関が高くなる基準信号である。このように、０／８〜８／７までの８種類の基準信号を受信信号に基づいて準備し、メモリ等にテーブルとして保持されている。このように、基準信号を８種類とするのは、相関演算の回数を制限するためである。従って、実際の受信信号のずれと、準備された基準信号とは必ずしも一致する訳ではなく、受信信号のずれの程度によっては、相関値が最大となる位置が得られない場合がある。
【００１０】
例えば、図１１において、矢印Ａで示される位置が実際には相関値が最大となるように受信信号がずれている場合、そこに対応する基準信号は準備されていないので、本当の切り出し位置は判らず、矢印Ａの前後の１／８の位置または２／８の位置を切り出し位置としていた。
【先行技術文献】
【特許文献】
【００１１】
【特許文献１】特開２００８−１５３９２７号公報
【発明の概要】
【発明が解決しようとする課題】
【００１２】
以上説明したように、ＯＦＤＭ通信方式においては受信信号のＧＩについての相関特性を利用してフレームタイミングを算出しているが、基準信号は８シンボル間隔で設定されているので、実際の受信信号のずれと、準備された基準信号とは必ずしも一致せず、この結果、得られる参照信号の選択精度が低くなる。このため、受信信号と参照信号とに基づいて算出される受信信号の重み付けに使用するウェイトの算出精度が下がることとなる。
【００１３】
本発明は上記のような問題点を解消するためになされたもので、参照信号の選択精度が高い無線通信装置および参照信号の決定方法を提供することを目的とする。
【課題を解決するための手段】
【００１４】
上記課題を解決するため、本発明に係る無線通信装置の第１の態様は、受信信号と複数の基準信号との相関値に基づいて参照信号を決定し、該参照信号を用いてアンテナウェイトの算出を行う無線通信装置であって、前記複数の基準信号を保持する基準信号保持部と、前記受信信号と前記複数の基準信号との相関演算を行う相関値算出部と、前記相関値算出部での相関演算結果に基づいて、前記複数の基準信号の中から前記参照信号を決定する参照信号選択部とを備え、前記複数の基準信号は、所定のシンボル間隔で、既知信号のデータ部の先頭位置をずらして形成され、前記参照信号選択部は、前記受信信号と前記複数の基準信号との相関演算により得られる複数の相関値について、最大値を与える相関値ピークが検出されない場合は、前記所定のシンボル間隔の間の位置に前記データ部の先頭が位置する新たな基準信号を作成し、該新たな基準信号と前記受信信号との相関演算を行う処理を、予め定めた回数繰り返す。
【００１５】
本発明に係る無線通信装置の第２の態様は、前記参照信号選択部が、前記相関値ピークが、予め設定した閾値よりも高い場合には、前記相関値ピークを与える基準信号を前記参照信号として決定し、前記相関値ピークが、予め設定した閾値未満の場合には、前記新たな基準信号と前記受信信号との相関演算を行う処理を、前記予め定めた回数繰り返す。
【００１６】
本発明に係る無線通信装置の第３の態様は、前記参照信号選択部が、前記相関値ピークが、予め設定した閾値未満の場合には、前記相関値ピークを与える基準信号を仮の参照信号とし、前記受信信号の位相回転量に基づいて算出されたシンボルのずれ量の分だけ前記仮の参照信号をずらすことで補正し、補正後の参照信号を前記参照信号として決定する。
【００１７】
本発明に係る無線通信装置の第４の態様は、前記前記参照信号選択部が、前記受信信号と前記複数の基準信号との相関演算により得られる複数の相関値について、最も高い値を示すものが前記所定のシンボル間隔を空けて隣り合っている場合には、その間の位置に、前記データ部の先頭が位置する前記新たな基準信号を作成する。
【００１８】
本発明に係る無線通信装置の第５の態様は、前記複数の基準信号が、前記受信信号のガードインターバルの元となった前記データ部の末尾部分および前記データ部の複製によって構成される。
【００１９】
本発明に係る参照信号の決定方法の第１の態様は、受信信号と複数の基準信号との相関値に基づいてアンテナウェイトの算出に用いる参照信号を決定する参照信号の決定方法であって、前記受信信号と、前記複数の基準信号との相関演算を行うステップ（ａ）と、前記ステップ（ａ）での相関演算結果に基づいて、前記複数の基準信号の中から前記参照信号を決定するステップ（ｂ）とを備え、前記複数の基準信号は、所定のシンボル間隔で、既知信号のデータ部の先頭位置をずらして形成され、前記ステップ（ｂ）は、前記受信信号と前記複数の基準信号との相関演算により得られる複数の相関値について、最大値を与える相関値ピークが検出されない場合は、前記所定のシンボル間隔の間の位置に前記データ部の先頭が位置する新たな基準信号を作成し、該新たな基準信号と前記受信信号との相関演算を行う処理を、予め定めた回数繰り返す。
【００２０】
本発明に係る参照信号の決定方法の第２の態様は、前記ステップ（ｂ）が、前記相関値ピークが、予め設定した閾値よりも高い場合には、前記相関値ピークを与える基準信号を前記参照信号として決定し、前記相関値ピークが、予め設定した閾値未満の場合には、前記新たな基準信号と前記受信信号との相関演算を行う処理を、前記予め定めた回数繰り返す。
【００２１】
本発明に係る参照信号の決定方法の第３の態様は、前記ステップ（ｂ）が、前記相関値ピークが、予め設定した閾値未満の場合には、前記相関値ピークを与える基準信号を仮の参照信号とし、前記受信信号の位相回転量に基づいて算出されたシンボルのずれ量の分だけ前記仮の参照信号をずらすことで補正し、補正後の参照信号を前記参照信号として決定する。
【発明の効果】
【００２２】
本発明によれば、所定のシンボル間隔で作成された基準信号との相関では、相関値ピークが検出されない場合は、所定のシンボル間隔の間の位置にデータ部の先頭が位置する新たな基準信号を作成し、該新たな基準信号と受信信号との相関演算を行う処理を繰り返すことで相関値ピークを得るので、参照信号が精度良く得られ、参照信号を用いて算出されるアンテナウェイトの精度も高くなる。
【図面の簡単な説明】
【００２３】
【図１】本発明に係る実施の形態の無線通信装置の構成を示すブロック図である。
【図２】本発明に係る実施の形態の無線通信装置の受信データ取得部の構成を示すブロック図である。
【図３】本発明に係る実施の形態の無線通信装置における参照信号の決定方法を説明するフローチャートである。
【図４】基準信号に対する相関値を示す図である。
【図５】基準信号に対する相関値を示す図である。
【図６】基準信号による切り出し位置を示す図である。
【図７】２回目、３回目の補間を行う場合の基準信号に対する相関値を示す図である。
【図８】基準信号による切り出し位置を示す図である。
【図９】本発明に係る実施の形態の無線通信装置における参照信号の決定方法の変形例を説明するフローチャートである。
【図１０】参照信号の補正を説明する図である。
【図１１】基準信号とＧＩを８等分した受信信号のフレームを示す図である。
【発明を実施するための形態】
【００２４】
＜実施の形態＞
図１は本発明に係る実施の形態の無線通信装置１の構成を示すブロック図である。図１に示すように、無線通信装置１は、受信部２０および送信部２１を有する通信部２と、受信データ取得部３と、送信信号生成部４とを備えている。受信部２０および送信部２１は送受信アンテナ２２を共有している。なお、送受信アンテナ２２は、アダプティブアレイ方式のアンテナである。
【００２５】
受信部２０は、送受信アンテナ２２で受信された搬送帯域のＯＦＤＭ信号に対して増幅処理やダウンコンバートを行って、当該ＯＦＤＭ信号をベースバンド信号に変換する。そして、受信部２０は、当該ベースバンド信号をアナログ形式からデジタル形式に変換して出力する。
【００２６】
受信データ取得部３は、受信部２０から出力されるベースバンド信号に対してＦＦＴ処理等を行って、当該ベースバンド信号から、通信対象が送信したデータを取得する。
【００２７】
送信信号生成部４は、通信対象に送信するデータを生成し、当該データを含むベースバンドのＯＦＤＭ信号を生成する。
【００２８】
送信部２１は、送信信号生成部４から出力されるＯＦＤＭ信号をデジタル形式からアナログ形式に変換する。そして、送信部２１は、アナログ形式のＯＦＤＭ信号を、アップコンバートおよび増幅処理を行った後、送受信アンテナ２２に入力する。これにより、搬送帯域のＯＦＤＭ信号が無線送信される。
【００２９】
図２は受信データ取得部３の構成を示すブロック図である。図２に示されるように、受信データ取得部３は、ＦＦＴ処理部３１と、相関値算出部３２と、参照信号選択部３３と、基準信号保持部３４とを備えている。
【００３０】
なお、図１および図２においては本発明と関係の深い構成のみを開示しており、その他の構成については図示を省略している。
【００３１】
ＦＦＴ処理部３１は、受信部２０から出力されるベースバンド信号に対してＦＦＴ処理を行って、当該ベースバンド信号に含まれる複数のサブキャリアを分離して出力する。ＦＦＴ処理部３０からは、ベースバンド信号に含まれる複数のサブキャリアのそれぞれについて、当該サブキャリアを変調する複素シンボルが出力される。
【００３２】
相関値算出部３２では、ＦＦＴ処理後の受信信号に対して基準信号保持部３４に保持された基準信号との相関演算を行い、その結果を参照信号選択部３３に与える。
【００３３】
参照信号選択部３３では、相関値算出部３２での相関演算結果に基づいて、基準信号の切り出し位置を見つけ出し、参照信号を決定する。参照信号選択部３３で決定された参照信号は、アダプティブアレイ方式のアンテナの指向性を制御するためのアンテナウェイトを算出する処理に使用される。
【００３４】
なお、本発明はこの参照信号の決定方法に特徴を有するものであり、その詳細については以下に説明する。
【００３５】
図３は、実施の形態に係る無線通信装置１における参照信号の決定方法を説明するフローチャートである。
【００３６】
図３に示すように、ＦＦＴ処理部３１（図２）でのＦＦＴ処理を施されたＦＦＴ処理後の受信信号に対して、相関値算出部３２（図２）において、基準信号保持部３４（図２）に保持された基準信号との相関演算を行い相関値が算出される（ステップＳ１）。ここで、受信信号のＧＩと、受信信号のデータ部の末尾の６４シンボル分のデータの複素共役とで相関演算を実行するが、この相関演算は周知の方法で行えば良い。
【００３７】
このとき、基準信号保持部３４に保持された基準信号は、先に説明したように８シンボル間隔で設定された８種類の基準信号であり、それぞれについて受信信号との相関演算を行う。その結果、８カ所の切り出し位置に対応して８種類の相関値が得られるが、参照信号選択部３３において、それらの中でピーク値（相関値ピーク）を検出する（ステップＳ２）。
【００３８】
ここで、図４には、基準信号に対する相関値を示す図であり、基準信号Ａ、Ｂ、Ｃ、Ｄに対する相関値を示している。
【００３９】
図４において、基準信号Ａによる相関値と基準信号Ｂによる相関値とがほぼ同じであり、基準信号ＣおよびＤによるそれぞれの相関値は、基準信号ＡおよびＢによる相関値よりも小さい。このように、ほぼ同じ値となる複数の相関値が得られた場合、どちらが最大値（ピーク）であるか判らず、相関値ピークは検出できない。そこで、このような場合は、各基準信号の間においてピークが存在する可能性があるものと判断し、ステップＳ６に進む。
【００４０】
ステップＳ２においては、隣り合った基準信号において相関値の差を検出し、隣り合った基準信号の相関値がほぼ同じか、両者の差が少ない場合には相関値ピークは検出されないものと判定する。この場合、相関値の比較は切り出し位置０／８側、あるいは８／８側から順に比較するものとし、隣り合った基準信号の相関値に所定値以上の差がある場合は、高い方と、次の切り出し位置の相関値との比較を行う。これを繰り返して相関値に順位を付けることで、参照信号選択部３３においてステップＳ７で説明する基準信号の補間の準備をする。
【００４１】
例えば、図４に示した例では基準信号Ａによる相関値と基準信号Ｂによる相関値とがほぼ同じであり、他の相関値よりも高いので、まず、最初に、基準信号Ａと基準信号Ｂに対応する切り出し位置の間を補間するように準備を行う。これにより、相関値ピークの検出の可能性を高めることができる。
【００４２】
もちろん、補間の手順はこの手順に限定されるものではなく、例えば、まず、最初に、基準信号Ａあるいは基準信号Ｂに対応する切り出し位置と隣り合う切り出し位置との間を補間するようにしても良い。これにより、相関値ピークが変則的な位置に出現する場合に対応できる。
【００４３】
一方、何れかの基準信号により得られた相関値が、他よりも飛び抜けている場合は、当該相関値を与える基準信号を参照信号として仮決定する（ステップＳ３）。
【００４４】
ステップＳ６は、基準信号を補間した回数を確認するステップであり、基準信号を補間した回数が４回未満である場合はステップＳ７に進んで基準信号の補間を行う。
【００４５】
ここで、基準信号の補間とは、既に使用した基準信号に加えて、新たな基準信号を作成することであり、「補間」と称するのは、既に使用した基準信号間がデータ部の先頭位置となるような新たな基準信号を作成するためである。
【００４６】
ステップＳ７では、例えば、図４に示した例では基準信号Ａによる相関値と基準信号Ｂによる相関値とがほぼ同じであるので、基準信号Ａおよび基準信号Ｂに対応する切り出し位置の間がデータ部の先頭位置となるような新たな基準信号を作成し、ステップＳ１以降の処理を繰り返す。
【００４７】
この結果を図５に示す。図５においては、基準信号Ａ、Ｂ、Ｃ、Ｄによる相関値の他に、基準信号αによる相関値を示しているが、この基準信号αが補間により得られた新たな基準信号である。
【００４８】
また、図６には、基準信号αによる切り出し位置を示す受信信号のフレームを示しており、基準信号Ａが切り出し位置１／８に対応し、基準信号Ｂが切り出し位置２／８に対応するとした場合、基準信号αは、基準信号Ａおよび基準信号Ｂに対応する切り出し位置の間が切り出し位置となるように設定されている。
【００４９】
ここで、補間により作成される基準信号は、既に作成されている基準信号の何れかを、所定シンボル分シフトさせることで作成できる。図１１の例では、１／８の基準信号を４シンボル分シフトさせることで基準信号αを作成できる。
【００５０】
そして、図５において、基準信号αによる相関値が、他の相関値よりも突出していることから、ステップＳ２では相関値ピークを検出したものと判断され、当該相関値ピークを与える基準信号を参照信号として仮決定する（ステップＳ３）。
【００５１】
次に、参照信号選択部３３では、仮決定した参照信号の位置での相関値が、予め設定した閾値よりも高いか否かを判定し（ステップＳ４）、高いと判定された場合は、仮決定した参照信号を参照信号として決定する（ステップＳ５）。なお、図５では、基準信号αによる相関値が閾値よりも高い場合を示しており、基準信号αが参照信号となる。参照信号が決定すると参照信号の選択動作を終了する。
【００５２】
ここで、上記閾値は、相関値ピークに対して例えば４シンボルずれた場合の相関値の値程度に設定するが、これに限定されるものではない。
【００５３】
一方、ステップＳ４において、仮決定した参照信号での相関値が、予め設定した閾値未満と判定された場合は、再びステップＳ６の動作を繰り返し、基準信号を補間した回数を確認する。そして、基準信号を補間した回数が４回未満である場合はステップＳ７に進んで再び基準信号の補間を行う。
【００５４】
この場合は、基準信号αとは異なる切り出し位置に対応する基準信号を作成する。図７には、２回目、３回目の補間を行う場合の基準信号に対する相関値を示している。この場合は、相関値ピークは３回目の補間により得られるものとし、１回目、２回目の補間における基準信号を、それぞれ、基準信号αおよびβとして相関値を示している。図７に示すように、基準信号αおよびβによる相関値は、何れも予め設定した閾値よりも低く、３回目の補間における基準信号γにより相関値ピークが得られている。
【００５５】
また、図８には、基準信号α、βおよびγによる切り出し位置を示す受信信号のフレームを示しており、基準信号αは、切り出し位置１／８と切り出し位置０／８との間が切り出し位置となるように設定され、基準信号βは、切り出し位置２／８と切り出し位置３／８との間が切り出し位置となるように設定され、基準信号γは、基準信号Ａおよび基準信号Ｂに対応する切り出し位置の間が切り出し位置となるように設定されている。
【００５６】
このように、１回目、２回目の補間ではステップＳ２において相関値ピークが検出されていないと判定され、また、ステップＳ４では、予め設定した閾値より高い相関値ピークは存在しないと判定されるが、基準信号の補間は３回までなのでこれ以上の補間は行われず（ステップＳ６）、参照信号選択部３３では、得られた相関値の中から最大値を選択し、その相関値に対応する基準信号（補間されたものも含む）を参照信号として決定する（ステップＳ８）。すなわち、図８の例では、基準信号γが参照信号となる。
【００５７】
以上説明したように、予め準備された基準信号では相関値ピークが検出されない場合には、予め準備された基準信号に対応する切り出し位置の間がデータ部の先頭位置となるような新たな基準信号を作成することで、参照信号の選択精度を高めることができる。
【００５８】
なお、以上の説明においては、補間の回数を４回未満としたが、これに限定されるものではなく、補間および相関演算に費やす時間が許容できる範囲であるならば補間の回数を増やしても良く、最終的には１シンボル間隔で相関演算を行うように補間を行っても良い。
【００５９】
また、ＧＩは６４シンボルで構成されるものとして説明したが、これに限定されるものではなく、さらにシンボル数が多い場合にも適用できる。
【００６０】
＜変形例＞
以上説明した参照信号の決定方法においては、基準信号の補間を繰り返すことで参照信号の選択精度を高める方法を説明したが、所定回数の補間を行っても、予め設定した閾値より高い相関値ピークが得られない場合には、参照信号を補正する方法を採っても良い。以下、図９に示すフローチャートを用いて、参照信号を補正する方法について説明する。
【００６１】
図９に示すフローチャートにおいて、ステップＳ１〜Ｓ７は図３に示したフローチャートと同じであるので説明は省略する。
【００６２】
図９のステップＳ２において、何れかの基準信号により得られた相関値が、他よりも飛び抜けており相関値ピークとして検出された場合は、当該相関値を与える基準信号を参照信号として仮決定する（ステップＳ３）。また、基準信号の補間を繰り返し、補間回数が４回を超える場合は、ステップＳ８１において、得られた相関値の中から最大値を選択し、その相関値に対応する基準信号（補間されたものも含む）を参照信号として仮決定する。
【００６３】
そして、参照信号選択部３３では、仮決定した参照信号の位置での相関値が、予め設定した閾値よりも高いか否かを判定し（ステップＳ４）、高いと判定された場合は、仮決定した参照信号を参照信号として決定（ステップＳ５）するが、ステップＳ４において、仮決定した参照信号での相関値が、予め設定した閾値未満いと判定された場合は、参照信号を補正する（ステップＳ９）。
【００６４】
ここで、ステップＳ９での参照信号の補正について、図１０を用いて説明する。図１０の（ａ）部には、受信信号の一例の位相をＩ／Ｑ平面で表し、図１０の（ｂ）部には、仮決定した参照信号の位相をＩ／Ｑ平面で表した図である。
【００６５】
図１０の（ａ）部に示されるように、受信信号の位相は−０．９８０７９＋０．１９５０９ｉとなっており、参照信号の位相は−１である。
【００６６】
参照信号と受信信号との位相差（位相回転量）は、（受信信号の位相）−（参照信号の位相）で算出され、これに上記値を代入すると、以下のようになる。
【００６７】
位相差＝ｔａｎ-1（０．１９５０９／(−０．９８０７９)）−ｔａｎ-1（０／(−１)）＝０．１９６３５
そして、位相回転量×ＦＦＴサイズによりシンボルのずれ量を得ることができる。すなわち、ずれ量＝０．１９６３５／２π・６４＝２．００となる。なお、この場合は符号が正なので、２シンボル分遅れていることとなる。
【００６８】
このように、２シンボル分だけ仮決定した参照信号よりずれていることが判るので、仮決定した参照信号を２シンボル分ずらした参照信号を作成し、それを最終的な参照信号とする。
【００６９】
参照信号をこのように補正することで、参照信号の選択精度をさらに高めることが可能となる。
【００７０】
なお、参照信号の補正処理は、基準信号を補間して相関値ピークを検出する処理よりも時間がかかるので、基準信号の補間により参照信号を仮決定し、それをさらに補正する方法を採ることで、参照信号の選択に費やす時間を削減し、かつ、参照信号の選択精度をさらに高めることが可能となる。
【符号の説明】
【００７１】
３１  ＦＦＴ処理部
３２  相関値算出部
３３  参照信号選択部
３４  基準信号保持部
【図１】
0005642627.tif 000002
【図２】
0005642627.tif 000003
【図３】
0005642627.tif 000004
【図４】
0005642627.tif 000005
【図５】
0005642627.tif 000006
【図６】
0005642627.tif 000007
【図７】
0005642627.tif 000008
【図８】
0005642627.tif 000009
【図９】
0005642627.tif 000010
【図１０】
0005642627.tif 000011
【図１１】
0005642627.tif 000012